【手続補正書】
【提出日】平成27年1月9日(2015.1.9)
【手続補正１】
【補正対象書類名】明細書
【補正対象項目名】０００７
【補正方法】変更
【補正の内容】
【０００７】
本発明に係るヘリコプター衛星通信システムは、
ヘリコプターに搭載される第１の通信装置と、前記第１の通信装置と衛星を介して通信する第２の通信装置と、を備えるヘリコプター衛星通信システムであって、
前記第１の通信装置と前記第２の通信装置の一方の通信装置は、
前記ヘリコプターの回転翼によって通信路が遮断される遮断期間の長さを取得する遮断期間取得手段と、
送信対象情報を所定の誤り訂正符号化方式により符号化する符号化手段と、
符号化された前記送信対象情報を複数のパケットに分割し、分割直後のパケット順で連続するパケットが前記遮断期間の長さ以上のパケット間隔を開けて並ぶように、分割直後のパケット順で連続するパケットが連続して配置されないように、パケットの順序を並び替えるパケットインターリーブ手段と、
前記パケットインターリーブ手段で並び替えられたパケットを前記衛星を介して他方の通信装置に送信する送信手段と、を備え、
前記他方の通信装置は、
前記一方の通信装置から送信されたパケットを前記衛星を介して受信する受信手段と、
受信したパケットを基の順序に並び替えるパケットデインターリーブ手段と、
前記パケットデインターリーブ手段で並び替えられたパケットから取得した前記送信対象情報を復号することによって、前記ヘリコプターの回転翼によって消失した情報を復元する復号手段と、を備え、
前記符号化手段は、前記送信対象情報をブロック単位で符号化し、
前記パケットインターリーブ手段は、
符号化したブロックを複数のパケットに分割し、
分割したパケットを同じブロック内のパケットが連続して配置されないように他のブロックのパケットを織り交ぜながら並び替える、
ことを特徴とする。
【手続補正２】
【補正対象書類名】特許請求の範囲
【補正対象項目名】全文
【補正方法】変更
【補正の内容】
【特許請求の範囲】
【請求項１】
ヘリコプターに搭載される第１の通信装置と、前記第１の通信装置と衛星を介して通信する第２の通信装置と、を備えるヘリコプター衛星通信システムであって、
前記第１の通信装置と前記第２の通信装置の一方の通信装置は、
前記ヘリコプターの回転翼によって通信路が遮断される遮断期間の長さを取得する遮断期間取得手段と、
送信対象情報を所定の誤り訂正符号化方式により符号化する符号化手段と、
符号化された前記送信対象情報を複数のパケットに分割し、分割直後のパケット順で連続するパケットが前記遮断期間の長さ以上のパケット間隔を開けて並ぶように、分割直後のパケット順で連続するパケットが連続して配置されないように、パケットの順序を並び替えるパケットインターリーブ手段と、
前記パケットインターリーブ手段で並び替えられたパケットを前記衛星を介して他方の通信装置に送信する送信手段と、を備え、
前記他方の通信装置は、
前記一方の通信装置から送信されたパケットを前記衛星を介して受信する受信手段と、
受信したパケットを基の順序に並び替えるパケットデインターリーブ手段と、
前記パケットデインターリーブ手段で並び替えられたパケットから取得した前記送信対象情報を復号することによって、前記ヘリコプターの回転翼によって消失した情報を復元する復号手段と、を備え、
前記符号化手段は、前記送信対象情報をブロック単位で符号化し、
前記パケットインターリーブ手段は、
符号化したブロックを複数のパケットに分割し、
分割したパケットを同じブロック内のパケットが連続して配置されないように他のブロックのパケットを織り交ぜながら並び替える、
ヘリコプター衛星通信システム。
【請求項２】
前記パケットインターリーブ手段は、同じブロックに属するパケットが前記遮断期間の長さ以上のパケット間隔を開けて並ぶようにパケットの順序を並び替える、
請求項１に記載のヘリコプター衛星通信システム。
【請求項３】
前記パケットインターリーブ手段は、連続してパケットを送信したときに前記遮断期間の長さ以上となる最小のパケット数を判別し、判別した最小のパケット数毎に同じブロックに属するパケットが配置されるようにパケットを並び替える、
請求項２に記載のヘリコプター衛星通信システム。
【請求項４】
前記第２の通信装置は、前記ヘリコプターの機種情報と、その機種情報によって示されるヘリコプターの回転翼によって遮断される遮断期間の長さと、を関連付けたヘリコプター情報を記憶する記憶手段、を備え、
前記第２の通信装置が備える遮断期間判別手段は、前記第１の通信装置が搭載されているヘリコプターの機種情報と前記ヘリコプター情報とを基に、ヘリコプター毎に前記遮断期間の長さを判別する、
請求項３に記載のヘリコプター衛星通信システム。
【請求項５】
ヘリコプターに搭載される第１の通信装置と前記第１の通信装置と衛星を介して通信する第２の通信装置のうちの一方の通信装置であって、
送信対象情報を所定の誤り訂正符号化方式により符号化する符号化手段と、
符号化された前記送信対象情報を複数のパケットに分割し、分割直後のパケット順で連続するパケットが連続して配置されないように、パケットの順序を並び替えるパケットインターリーブ手段と、
前記パケットインターリーブ手段で並び替えられたパケットを前記衛星を介して他方の通信装置に送信する送信手段と、を備え、
前記符号化手段は、前記送信対象情報をブロック単位で符号化し、
前記パケットインターリーブ手段は、
符号化したブロックを複数のパケットに分割し、
分割したパケットを同じブロック内のパケットが連続して配置されないように他のブロックのパケットを織り交ぜながら並び替える、
通信装置。
【請求項６】
ヘリコプターに搭載される第１の通信装置と前記第１の通信装置と衛星を介して通信する第２の通信装置のうちの一方の通信装置であって、
送信対象情報をブロック単位で符号化し、
符号化したブロックを複数のパケットに分割し、
分割したパケットを同じブロック内のパケットが連続して配置されないように他のブロックのパケットを織り交ぜながら並び替えて、
他方の通信装置から送信されたパケットを前記衛星を介して受信する受信手段と、
前記他方の通信装置によって並び替えられたパケットを基の順序に並び替えるパケットデインターリーブ手段と、
前記パケットデインターリーブ手段で並び替えられたパケットから取得した前記送信対象情報を復号することによって、前記ヘリコプターの回転翼によって消失した情報を復元する復号手段と、を備える、
通信装置。
【請求項７】
ヘリコプターに搭載される第１の通信装置と前記第１の通信装置と衛星を介して通信する第２の通信装置のうちの一方の通信装置と、他方の通信装置と、の間の通信方法であって、
前記ヘリコプターの回転翼によって通信路が遮断される遮断期間の長さを取得する遮断期間取得ステップと、
送信対象情報を所定の誤り訂正符号化方式により符号化する符号化ステップと、
符号化された前記送信対象情報を複数のパケットに分割し、分割直後のパケット順で連続するパケットが前記遮断期間の長さ以上のパケット間隔を開けて並ぶように、分割直後のパケット順で連続するパケットが連続して配置されないように、パケットの順序を並び替えるパケットインターリーブステップと、
前記パケットインターリーブステップで並び替えられたパケットを前記衛星を介して前記他方の通信装置に送信する送信ステップと、
前記一方の通信装置から送信されたパケットを前記衛星を介して受信する受信ステップと、
受信したパケットを基の順序に並び替えるパケットデインターリーブステップと、
前記パケットデインターリーブステップで並び替えられたパケットから取得した前記送信対象情報を復号することによって、前記ヘリコプターの回転翼によって消失した情報を復元する復号ステップと、を有し、
前記符号化ステップは、前記送信対象情報をブロック単位で符号化し、
前記パケットインターリーブステップは、
符号化したブロックを複数のパケットに分割し、
分割したパケットを同じブロック内のパケットが連続して配置されないように他のブロックのパケットを織り交ぜながら並び替える、
通信方法。
【請求項８】
ヘリコプターに搭載される第１の通信装置と前記第１の通信装置と衛星を介して通信する第２の通信装置のうちの一方の通信装置を制御するコンピュータに、
送信対象情報を所定の誤り訂正符号化方式により符号化する符号化機能と、
符号化された送信対象情報を複数のパケットに分割し、分割直後のパケット順で連続するパケットが連続して配置されないように、パケットの順序を並び替えるパケットインターリーブ機能と、
前記パケットインターリーブ機能によって並び替えられたパケットを前記衛星を介して他方の通信装置に送信する送信機能と、を実現させ、
前記符号化機能は、前記送信対象情報をブロック単位で符号化し、
前記パケットインターリーブ機能は、
符号化したブロックを複数のパケットに分割し、
分割したパケットを同じブロック内のパケットが連続して配置されないように他のブロックのパケットを織り交ぜながら並び替える、
通信プログラム。
【請求項９】
ヘリコプターに搭載される第１の通信装置と前記第１の通信装置と衛星を介して通信する第２の通信装置のうちの一方の通信装置を制御するコンピュータに、
送信対象情報をブロック単位で符号化し、
符号化したブロックを複数のパケットに分割し、
分割したパケットを同じブロック内のパケットが連続して配置されないように他のブロックのパケットを織り交ぜながら並び替えて、
他方の通信装置から送信されたパケットを前記衛星を介して受信する受信機能と、
他方の通信装置によって並び替えられたパケットを基の順序に並び替えるパケットデインターリーブ機能と、
前記パケットデインターリーブ機能によって並び替えられたパケットから取得した前記送信対象情報を復号することによって、ヘリコプターの回転翼によって消失した情報を復元する復号機能と、を実現させる、
通信プログラム。